(57)【要約】  【課題】  更なる消費電力の低減を実現する表示方法を提供する。  【解決手段】  複数の画像データを合成して表示する表示方法において、特徴量抽出手段８は、比較的低輝度の入力画像データ２の特徴量を抽出し、この結果を基に比較的高輝度の入力画像１の画質調整手段７により調整する。その後、表示画像生成手段６により表示画像を合成し、この表示画像の特徴量に基づいて、液晶パネルの透過率と、バックライトの輝度を調整する。最適な輝度とコントラスト比を保持しつつ、バックライト制御範囲を飽和させることなく、消費電力を低減できる。【選択図】  図１
2006154064.tif 000002
【特許請求の範囲】
【請求項１】
複数の画像データを合成し生成した表示データを、光源から光を照射して表示を行う受光型表示デバイスで表示する表示方法であって、
少なくとも１つの前記画像データの特徴を示す第１の特徴量を抽出するステップと、
前記第１の特徴量に基づいて、少なくとも１つの前記画像データを生成するステップと、
複数の前記画像データを合成し、表示データを生成するステップと、
前記表示データの特徴を示す第２特徴量を抽出するステップと、
前記第２の特徴量に基づいて、前記光源の輝度調整と前記表示画像データの輝度調整に相関を持たせて行うステップとを備える表示方法。
【請求項２】
複数の画像データを合成し生成した表示データを、光源から光を照射して表示を行う受光型表示デバイスで表示する表示方法であって、
少なくとも１つの前記画像データの特徴を示す第１の特徴量を抽出するステップと、
前記第１の特徴量に基づいて、少なくとも１つの前記画像データの輝度調整を行うステップと、
調整後の前記画像データを含め複数の画像データを合成し、表示データを生成するステップと、
前記表示データの特徴を示す第２特徴量を抽出するステップと、
前記第２の特徴量に基づいて、前記光源の輝度調整と前記表示画像データの輝度調整に相関を持たせて行うステップとを備える表示方法。
【請求項３】
前記画像データの輝度調整を行うステップは、前記画像データの少なくとも１つの過去のフレームでの輝度調整の調整度合を基に、調整度合いを補正するステップを、さらに備える請求項２記載の表示方法。
【請求項４】
前記調整度合いを補正するステップでは、予め決められた調整度合いの最大変化量により調整度合いを制限する請求項３記載の表示方法。
【請求項５】
複数の画像データを合成し生成した表示データを、光源から光を照射して表示を行う受光型表示デバイスで表示する表示装置であって、
少なくとも１つの前記画像データの特徴を示す第１の特徴量を抽出する第１の特徴量抽出手段と、
前記第１の特徴量に基づいて、少なくとも１つの前記画像データの輝度調整を行う第１の画質調整手段と、
調整後の前記画像データを含め複数の画像データを合成し、表示データを生成する表示画像生成手段と、
前記表示データの特徴を示す第２特徴量を抽出しする第２の特徴量抽出手段と、
前記第２の特徴量に基づいて、前記光源の輝度調整と前記表示画像データの輝度調整に相関を持たせ、光源の輝度調整を行う輝度調整手段と、
前記第２の特徴量に基づいて、前記光源の輝度調整と前記表示画像データの輝度調整に相関を持たせ、表示画像データの輝度調整を行う第２の画質調整手段とを備える表示装置。
【請求項６】
前記第１の特徴量抽出手段と前記第２の特徴量抽出手段とは、共通の特徴量抽出手段が時分割で共用されることにより構成される請求項５記載の表示装置。
【請求項７】
前記第１の画像調整手段と前記第２の画像調整手段とは、共通の画質調整手段が時分割で共用されることにより構成される請求項５記載の表示装置。
【請求項８】
前記第２の特徴量抽出手段は、任意の部分領域の特徴量を抽出し、第１の特徴量と第２の特徴量とを同時に抽出する請求項５から７記載の表示装置。
【発明の詳細な説明】
【技術分野】
【０００１】
本発明は、光源から光を照射して表示を行う受光型表示デバイスにおいて、入力する画像データに応じて動的に、光源の輝度と画像データの補正を行い表示する表示方法および表示装置に関するものである。
【背景技術】
【０００２】
近年の携帯電話端末、携帯情報端末及びコードレスモニタの多くは、ストリーミング配信による動画像の再生や、カメラ機能を有しての静止画像や動画像の撮影、これらの画像のファイルとしての蓄積、また、これらのデータをメールに添付しての送受信を行い、表示画像とグラフィックデータを合成して、液晶ディスプレイ（ＬＣＤ（Ｌｉｑｕｉｄ  Ｃｒｙｓｔａｌ  Ｄｉｓｐｌａｙ））に代表される受光型表示デバイスに表示することができる。
【０００３】
また、これらの画像を高精細な画質で、文字や図形などの情報も含めてはっきりと表示させたいという要求が高まってきている。
【０００４】
しかし、バッテリ駆動しているこれら携帯端末では、長時間駆動させるために消費電力を削減することが求められることになる。この問題を解決するため、従来技術では、表示する画像信号の最大値を検出する手段を備え、この最大値を基に、液晶パネルの透過率を上げ、光源の光出力抑制しするよう補正して、消費電力を低減を図っている（例えば、特許文献１参照）。
【０００５】
しかしながら、上記の従来技術では以下のような課題がある。
上記の従来技術による表示装置では、表示する１フレーム当たりの特徴量を抽出して光源の光出力をと画像データを補正して、消費電力の低減を図っている。
【０００６】
例えば、テレビ電話での表示画像は、相手画像や自画像とともに、フレーム等のグラフィック画像や文字画像が合成されて構成されている。ここで、グラフィック画像や文字画像は、発色の良い表示をさせたいがために、比較的高輝度なデータにする。一方、相手画像や自画像は、自然画のため比較的低輝度な画像が多い。
【０００７】
従来技術では、表示する画像信号の最大値を検出する手段を備え、この最大値を基に、液晶パネルの透過率を上げ、光源の光出力抑制するよう補正して、消費電力の低減を図るため、比較的高輝度なグラフィック画像や文字画像のために、この十分な補正効果を得ることができない。
【特許文献１】特開平１−２３９５８９号公報
【発明の開示】
【発明が解決しようとする課題】
【０００８】
そこで本発明は、更なる消費電力の低減を実現する表示方法および表示装置を提供することを目的とする。
【課題を解決するための手段】
【０００９】
請求項１記載の表示方法では、少なくとも１つの画像データの特徴を示す第１の特徴量を抽出するステップと、第１の特徴量に基づいて、少なくとも１つの画像データを生成するステップと、複数の画像データを合成し、表示データを生成するステップと、表示データの特徴を示す第２特徴量を抽出するステップと、第２の特徴量に基づいて、光源の輝度調整と表示画像データの輝度調整に相関を持たせて行うステップとを備える。
【００１０】
この構成によれば、比較的高輝度な入力画像データと比較的低輝度な入力画像データを合成して表示画像データを生成し表示する場合に、予め比較的低輝度な入力画像データにあわせて、高輝度な入力画像データを輝度の低い入力画像データとして生成することにより、最適な輝度とコントラスト比を保持しつつ、高輝度の入力画像データによりバックライト制御範囲を飽和させることなくより消費電力の低減を図ることができる。
【００１１】
請求項２記載の表示方法では、少なくとも１つの画像データの特徴を示す第１の特徴量を抽出するステップと、第１の特徴量に基づいて、少なくとも１つの画像データの輝度調整を行うステップと、調整後の画像データを含め複数の画像データを合成し、表示データを生成するステップと、表示データの特徴を示す第２特徴量を抽出するステップと、第２の特徴量に基づいて、光源の輝度調整と表示画像データの輝度調整に相関を持たせて行うステップとを備える。
【００１２】
この構成によれば、比較的高輝度な入力画像データと比較的低輝度な入力画像データを合成して表示画像データを生成し表示する場合に、合成前に高輝度の入力画像データを低輝度の入力画像データの特徴量により最大輝度を調整することにより、最適な輝度とコントラスト比を保持しつつ、高輝度の入力画像データによりバックライト制御範囲を飽和させることなくより消費電力の低減を図ることができる。
【００１３】
請求項３記載の表示方法では、画像データの輝度調整を行うステップは、画像データの少なくとも１つの過去のフレームでの輝度調整の調整度合を基に、調整度合いを補正するステップを、さらに備える。
【００１４】
この構成によれば、前フレームからの調整度合いからの調整度合いの変化量により調整量を補正することにより、当該フレームでの急激な変動や、前フレームとのフレーム間でのキャップを抑制し、見た目上の変動を抑制することにより、より違和感のない調整が可能になる。
【００１５】
請求項４記載の表示方法では、調整度合いを補正するステップでは、予め決められた調整度合いの最大変化量により調整度合いを制限する。
【００１６】
この構成によれば、前フレームからの調整度合いからの調整度合いの変化量により調整量を補正する場合に、予め設定しておいた変化量を越えないように制御するだけで良いため、見た目上の変動を抑制することにより、より違和感のない調整が可能になり、かつ調整量の補正の判断が簡略化できる。
【００１７】
請求項５記載の表示装置は、複数の画像データを合成し生成した表示データを、光源から光を照射して表示を行う受光型表示デバイスで表示する表示装置であって、少なくとも１つの画像データの特徴を示す第１の特徴量を抽出する第１の特徴量抽出手段と、第１の特徴量に基づいて、少なくとも１つの画像データの輝度調整を行う第１の画質調整手段と、調整後の画像データを含め複数の画像データを合成し、表示データを生成する表示画像生成手段と、表示データの特徴を示す第２特徴量を抽出しする第２の特徴量抽出手段と、第２の特徴量に基づいて、光源の輝度調整と表示画像データの輝度調整に相関を持たせ、光源の輝度調整を行う輝度調整手段と、第２の特徴量に基づいて、光源の輝度調整と表示画像データの輝度調整に相関を持たせ、表示画像データの輝度調整を行う第２の画質調整手段とを備える。
【００１８】
この構成によれば、比較的高輝度な入力画像データと比較的低輝度な入力画像データを合成して表示画像データを生成し表示する場合に、合成前に高輝度の入力画像データを低輝度の入力画像データの特徴量により最大輝度を調整することにより、最適な輝度とコントラスト比を保持しつつ、高輝度の入力画像データによりバックライト制御範囲を飽和させることなくより消費電力の低減を図ることができる。
【００１９】
請求項６記載の表示装置では、第１の特徴量抽出手段と第２の特徴量抽出手段とは、共通の特徴量抽出手段が時分割で共用されることにより構成される。
【００２０】
この構成によれば、例えば、１フレーム期間中の前半に、入力画像データ２の特徴量を抽出し、入力画像データ１の画質を調整し、その後、調整された入力画像データ１と入力画像データ２は表示画像生成手段６で合成され、その後、１フレーム期間の後半で、表示画像データの特徴量を抽出し、表示画像データの画質を調整できるため、時分割で同一手段を利用することで、ＬＳＩ化においては面積効率を上げることも可能となる。
【００２１】
請求項７記載の表示装置では、第１の画像調整手段と第２の画像調整手段とは、共通の画質調整手段が時分割で共用されることにより構成される。
【００２２】
この構成によれば、例えば、１フレーム期間中の前半に、入力画像データ２の特徴量を抽出し、入力画像データ１の画質を調整し、その後、調整された入力画像データ１と入力画像データ２は表示画像生成手段６で合成され、その後、１フレーム期間の後半で、表示画像データの特徴量を抽出し、表示画像データの画質を調整できるため、時分割で同一手段を利用することで、ＬＳＩ化においては面積効率を上げることも可能となる。
【００２３】
請求項８記載の表示装置では、第２の特徴量抽出手段は、任意の部分領域の特徴量を抽出し、第１の特徴量と第２の特徴量とを同時に抽出する。
【００２４】
この構成によれば、部分領域の特徴量から、入力画像データ１の補正をかけることも可能である。例えば、表示画像データ６による表示画像データのうち、入力画像データ２部分の画像領域（１フレーム画像中の合成座標やサイズなど）を特徴量抽出手段５に指定し、指定部分の特徴量を抽出する。これを基に、入力画像データ１の画質を調整できるため、特徴量抽出手段５に部分領域の特徴量を抽出することを加えることにより、特徴量抽出手段の共用化による面積効率を上げることができる。
【発明の効果】
【００２５】
請求項１記載の表示方法では、比較的高輝度な入力画像データと比較的低輝度な入力画像データを合成して表示画像データを生成し表示する場合に、予め比較的低輝度な入力画像データにあわせて、高輝度な入力画像データを輝度の低い入力画像データとして生成することにより、効率の良いバックライト制御が実施可能になる。その結果、消費電力の低減を図ることができる。
【００２６】
請求項２記載の表示方法では、比較的高輝度な入力画像データと比較的低輝度な入力画像データを合成して表示画像データを生成し表示する場合に、合成前に高輝度の入力画像データを低輝度の入力画像データの特徴量により最大輝度を調整することにより、効率の良いバックライト制御が実施可能になる。その結果、消費電力の低減を図ることができる。
【００２７】
請求項３記載の表示方法では、前フレームからの調整度合いからの調整度合いの変化量により調整量を補正することにより、当該フレームでの急激な変動や、前フレームとのフレーム間でのキャップを抑制することができる。その結果、見た目上の変動を抑制し、より違和感のない調整が可能になる。
【００２８】
請求項４記載の表示方法では、前フレームからの調整度合いからの調整度合いの変化量により調整量を補正する場合に、予め設定しておいた変化量を越えないように制御する。その結果、見た目上の変動を抑制し、より違和感のない調整が可能になり、かつ調整量の補正の判断が簡略化できる。
【００２９】
請求項５記載の表示装置では、比較的高輝度な入力画像データと比較的低輝度な入力画像データを合成して表示画像データを生成し表示する場合に、合成前に高輝度の入力画像データを低輝度の入力画像データの特徴量により最大輝度を調整することにより、効率の良いバックライト制御が実施可能になる。その結果、消費電力の低減を図ることができる。
【００３０】
請求項６記載の表示装置では、特徴量抽出手段を時分割で共有化する。その結果、ＬＳＩ化においては面積効率を上げることが可能となる。
【００３１】
請求項７記載の表示装置では、画質調整手段を時分割で共有化する。その結果、ＬＳＩ化においては面積効率を上げることが可能となる。
【００３２】
請求項８記載の表示装置では、部分領域の特徴量から、入力画像データ１の補正をかけることも可能で、特徴量抽出手段を共有化が可能となる。その結果、ＬＳＩ化においては面積効率を上げることができる。
【発明を実施するための最良の形態】
【００３３】
以下、図面を参照しながら、本発明の実施の形態を説明する。
【００３４】
（実施の形態１）
図１は、本発明の実施の形態１における表示装置のブロック図である。
【００３５】
図１に示すように、この表示装置は、表示手段１、液晶パネル制御手段２、画質調整手段３、バックライト制御手段４、特徴量抽出手段５、表示画像生成手段６、画質調整手段７、及び、特徴量生成手段７を具備する。表示手段１は、液晶パネル１１およびバックライト１２を含む。
【００３６】
特徴量抽出手段８および表示画像生成手段６には、入力画像データ２が入力される。
【００３７】
そして、特徴量抽出手段８は、入力画像データ２の特徴量である第１の特徴量を抽出する。この第１の特徴量は、例えば、１フレーム分の画像データの平均輝度、１フレーム分の画像データのピクセル単位での最大輝度や、ＲＧＢデータであれば、成分毎の平均値や最大値等、がある。
【００３８】
画質調整手段７には、入力画像データ１と特徴量抽出手段８で抽出された第１の特徴量が入力される。
【００３９】
そして、画質調整手段７は、第１の特徴量をパラメータとして、入力画像データ２に連動して入力画像データ１を調整し出力する。例えば、最大輝度が入力画像データ２の最大輝度と同じになるように調整する。
【００４０】
表示画像生成手段６には、画質調整手段７で調整された入力画像データ１と、入力画像データ２が入力される。
【００４１】
そして、表示画像生成手段６は、調整された入力画像データ１と入力画像データ２を合成して１枚の表示画像データを生成する。
【００４２】
特徴量抽出手段５には、表示画像生成手段６で生成された表示画像データが入力される。
【００４３】
そして、特徴量抽出手段８は表示画像データの特徴量である第２の特徴量を抽出する。この第２の特徴量は、例えば、表示画像データの１フレーム分の画像データ中の輝度の平均値、１フレーム分の画像データのピクセル単位での最大輝度や、ＲＧＢデータであれば、成分毎の平均値や最大値等、がある。
【００４４】
バックライト制御手段４には、特徴量抽出手段５で抽出された第２の特徴量が入力される。
【００４５】
そして、バックライト制御手段４は、特徴量抽出手段５で抽出された第２の特徴量を基にバックライト１２の輝度を決定し制御する。
【００４６】
画質調整手段３には、表示画像生成手段６で生成された表示画像データおよび特徴量抽出手段５で抽出された第２の特徴量が入力される。
【００４７】
そして、画質調整手段は、バックライト１２の輝度が変更されても画質が劣化しないように、第２の特徴量をパラメータとして、表示画像生成手段６で生成された表示画像データをバックライト１２の輝度に連動して調整する。例えば、第２の特徴量を表示画像データの最大輝度だとすると、最大輝度が入力画像データ２の最大輝度と同じになるように調整する。
【００４８】
液晶パネル制御手段には、画質調整手段３で調整された表示画像データが入力される。
【００４９】
そして、所定のタイミングで表示画像データを転送し液晶パネル１１を制御する。
【００５０】
一般に受光型表示デバイスでのパネルの明るさ（輝度）は、バックライトの輝度だけで決まるものではなく、バックライトの輝度と各画素の透過率との積、即ち、バックライトの輝度と各画素の輝度との積で決まる。
【００５１】
そこで、本実施の形態では、バックライト制御手段４は、１フレーム分の表示画像データの輝度レベルが低いときは、バックライト１２を暗く、逆に１フレーム分の表示画像データの輝度レベルが高いときは、バックライト１２を明るくなるように制御する。
【００５２】
一方、画質調整手段３は、バックライト１２の制御に連動して１フレーム分の表示画像データの輝度やコントラスト比を調整する。なぜなら、バックライト制御手段４の制御によりバックライト１２の最大輝度が変われば、見た目上画質が変化するため、これを抑制する必要があるからである。
【００５３】
より具体的に説明する。
【００５４】
入力画像データ１が高輝度のデータからなるグラフィックデータであり、入力画像データ２が低輝度のデータからなる自然画である場合、特徴量抽出手段８から抽出した入力画像データ２の画素単位での最大輝度を基に、画質調整手段７は双方の画像データの画素単位での最大輝度を同じになるように入力画像データ１の輝度とコントラストを調整する。
【００５５】
これにより、入力画像データ１と入力画像データ２の最大輝度が同じになる。
【００５６】
例えば、輝度データが８ビットで表現され、入力画像データ１の最大輝度が「２５５」、入力画像データ２の最大輝度が「１２８」の場合、入力画像データ１の最大輝度が「１２８」になるように修正する。この時、その他の画素も見た目上のコントラスト比を維持するよう補正する。
【００５７】
その後、表示画像生成手段６により調整された入力画像データ１と入力画像データ２が合成され、表示画像データを生成するが、その最大輝度は「１２８」のままとなる。
【００５８】
この表示画像データは表示手段１により表示する。
【００５９】
バックライト制御手段４は、特徴量抽出手段５の特徴量から、１フレーム分の表示画像データが全体的に低輝度であり平均輝度が低いと判断されると、１フレーム分の表示画像データの最大輝度及び最小輝度を考慮した上で、バックライト１２の輝度を下げるように制御する。
【００６０】
一方、画質調整手段３は、１フレーム分の表示画像データの輝度や見た目上のコントラスト比を調整して、各画素の透過率（各画素の輝度）を上げるよう、液晶パネル制御手段２を介して液晶パネル１１を制御する。この時、見た目上の輝度とコントラスト比を調整前と同程度にする。
【００６１】
つまり、画質調整手段３により、１フレーム分の表示画像データの輝度を最大限に上げ、バックライト制御手段４により、バックライト１２の輝度を下げる。
【００６２】
例えば、先ほど表示画像データの１フレーム分の最大輝度は「１２８」に調整している。通常だと、バックライト１２の発光を１００％、液晶パネル１１の透過率５０％（最大輝度画素部分）から、バックライト１２の発光は５０％、液晶パネルの透過率を１００％（最大輝度「２５５」）になるように調整する。当然、バックライト１２の発光が５０％になっているので、その他の画素部分も、バックライトの輝度と各画素の輝度との積が変わらないように調整が行われる。
【００６３】
以上のように、本実施の形態では、比較的高輝度な入力画像データと比較的低輝度な入力画像データを合成して表示画像データを生成し表示する場合に、合成前に高輝度の入力画像データを低輝度の入力画像データの特徴量により最大輝度を調整することにより、最適な輝度とコントラスト比を保持しつつ、高輝度の入力画像データによりバックライト制御範囲を飽和させることなくより消費電力の低減を図ることができる。
【００６４】
さて、本実施の形態では、比較的高輝度な入力画像データを画質調整手段７により補正するようにしているが、この高輝度な入力画像データが例えばグラフィックデータだとすると、生成する段階で、特徴量抽出手段８の特徴量を反映して、予め、最大輝度を抑制したグラフィックデータを生成しても良い。この場合は、画質調整手段７で入力画像データを調整する必要はなく、そのまま、表示画像生成手段６にて、入力画像データを合成し、表示画像データを生成すると良い。この場合も、高輝度の入力画像データによりバックライト制御範囲を飽和させることなくより消費電力の低減を図ることができる。
【００６５】
更に、本実施の形態では、合成する入力画像データ間で特徴量抽出手段８から抽出される特徴量から画質調整手段７により調整を行っているが、この特徴量は当該フレームの入力画像データではなく、次の入力画像データなど、未来の入力画像データに対しての画質調整に用いることもできる。この場合は、特徴量抽出手段８での特徴量抽出と画質調整手段７による画質調整を同一フレーム期間で実施する必要はなくなるため、処理をパイプライン化し、全体処理の高速化を図ることができ、ＬＳＩ化においてはタイミング制約が緩和されるため、面積効率を上げることも可能となる。
【００６６】
更に、本実施の形態では、画質調整手段７での画質調整は、最大輝度を同一にするよう制御するが、同一にするのではなく調整度合いを制限することもできる。例えば、前フレームからの調整度合いからの調整度合いの変化量により調整量を補正する。
【００６７】
この時の補正は、予め設定しておいた変化量を越えないように制御したり、その都度補正量を制限調整したりする。このことにより、当該フレームでの急激な変動や、前フレームとのフレーム間でのキャップを抑制し、調整される入力画像データ１の見た目上の変動を抑制し、より違和感のない調整が可能になる。
【００６８】
なお、フレーム間の調整においては、前フレームとの差分のみについて説明したが、それよりも以前のフレームや、過去の複数フレームの調整量から総合的に判断して、当該フレームの調整量を補正することも可能であり、同様の効果を得ることができる。予め設定しておいた、変化量を超えないように制御する分には、調整量の補正の判断が簡略化できる。
【００６９】
更に、特徴量抽出手段５と特徴量抽出手段８、また画質調整手段３と画質調整手段７は同一の手段として統合し、時分割で処理することも可能である。図２に示すように、例えば、１フレーム期間中の前半に、入力画像データ２の特徴量を特徴量抽出手段５で抽出し、この特徴量により入力画像データ１を画質調整手段３で画質を調整し、その後、調整された入力画像データ１と入力画像データ２は表示画像生成手段６で合成され、その後、１フレーム期間の後半で、表示画像データの特徴量を特徴量抽出手段５で抽出し、表示画像データの画質を画像調整手段３で調整する。
【００７０】
このように、時分割で同一手段を利用することで、ＬＳＩ化においては面積効率を上げることも可能となる。なお、画質調整手段と特徴量抽出手段の双方を同一手段で処理することを説明したが、当然どちらか一方であったり、各手段の一部の処理を共用化することも可能であり、同様の効果が期待できる。
【００７１】
更に、特徴量抽出手段５は部分領域の特徴量を抽出する機能を更に有し、この部分領域の特徴量から、入力画像データ１の補正をかけることも可能である。図３に示すように、例えば、表示画像データ６による表示画像データのうち、入力画像データ２部分の画像領域（１フレーム画像中の合成座標やサイズなど）を特徴量抽出手段５に指定し、指定部分の特徴量を抽出する。これを基に、入力画像データ１の画質を調整する。
【００７２】
このように、特徴量抽出手段５に部分領域の特徴量を抽出することを加えることにより、特徴量抽出手段の共用化による面積効率を上げることができる。
【００７３】
なお、いずれの実施の形態でも、最大輝度を特徴量として扱ったがこれに限定するものではない。最小輝度や平均輝度のいずれか、または、いずれかの組み合わせで実施することも可能である。また、ＹＵＶデータでかつ、単一色の光源を用いた表示方法および表示装置に限定されない。ＲＧＢデータでかつ、Ｒ、Ｇ、Ｂのそれぞれの光源を有する表示装置であっても、Ｒ、Ｇ、Ｂそれぞれの成分に対して制御することも同様に実施可能であり、同様の効果を得ることができる。
【００７４】
なお、本実施の形態では２系統の入力画像データを用いるものについて説明してきたがこれに限定されない。３入力以上の画像を合成し表示するものに対しても有効であり、画像データを調整する入力画像データは、そのうち、最低限１つ以上あれば同様の効果を得ることができる。
【００７５】
なお以上、表示装置に基づいて説明したが、プロセッサ等上で動作するソフトウェアで実施することもでき、そうしても同様の効果が得られる。
【産業上の利用可能性】
【００７６】
本発明に係わる表示装置は、例えば、受光型表示デバイスを動的に制御する技術分野等、及び、その関連分野において利用できる。
【図面の簡単な説明】
【００７７】
【図１】本発明の実施の形態１における表示装置のブロック図
【図２】本発明の実施の形態１における表示装置のブロック図
【図３】本発明の実施の形態１における表示装置のブロック図
【符号の説明】
【００７８】
１  表示手段
２  液晶パネル制御手段
３、７  画質調整手段
４  バックライト制御手段
５、８  特徴量抽出手段
６  表示画像生成手段
１１  液晶パネル
１２  バックライト
【図１】
2006154064.tif 000003
【図２】
2006154064.tif 000004
【図３】
2006154064.tif 000005